【手続補正書】
【提出日】平成15年8月27日(2003.8.27)
【手続補正１】
【補正対象書類名】明細書
【補正対象項目名】特許請求の範囲
【補正方法】変更
【補正の内容】
【特許請求の範囲】
【請求項１】
−  製品を収容するための容器（１４；７８）と、
−  該容器に設けられた部分と
を備える器具であって、該部分は、
少なくとも１つの座面（４０）と少なくとも１つの開口部（２８）とを画定する第１メンバ（２２；１２２；２２２）と、
少なくとも１つのクレードル（４２）と、
クレードル（４２）と座面（４０）とにより画定される領域（４４；１４４）に取り付けられる装飾アイテム（１０）と
を有する器具。
【請求項２】
第１メンバ（２２；１２２；２２２）が、該第１メンバを貫通する少なくとも１つの開口部（２８）を画定する部分（２６；１２６）を備える請求項１に記載の器具。
【請求項３】
クレードル（４２）が複数の取り付けメンバ（３０；１３０；２３０）を備える請求項１または２に記載の器具。
【請求項４】
前記取り付けメンバ（３０；１３０；２３０）は互いに離間している請求項３に記載の器具。
【請求項５】
複数の取り付けメンバ（３０；１３０；２３０）は第１メンバ（２２；１２２；２２２）の下方に設置される請求項３または４に記載の器具。
【請求項６】
複数の取り付けメンバ（３０；１３０；２３０）および第１メンバ（２２；１２２；２２２）の前記部分（２６；１２６）は、器具の外部（５４）から装飾アイテム（１０）の少なくとも１部（５２）が見えるように、該複数の取り付けメンバと第１メンバの該部分との間に装飾アイテム（１０）を挟持する請求項２ないし５のいずれか１項に記載の器具。
【請求項７】
複数の取り付けメンバ（３０；１３０；２３０）は少なくとも１つの第２開口部（３４）を画定するように配置され、第１メンバ（２２；１２２；２２２）により画定される前記開口部（２８）は第２開口部（３４）と実質的に重なり合う請求項３ないし６のいずれか１項に記載の器具。
【請求項８】
第１メンバ（２２；１２２；２２２）は外表面（３６）と内表面（３８）を有し、該第１メンバの開口部（２８）の少なくとも一部は、内表面から外表面に向かって内径が縮小しており、複数の取り付けメンバに対向して座面（４０）を形成している請求項３ないし７のいずれか１項に記載の器具。
【請求項９】
複数の取り付けメンバ（３０；１３０；２３０）は装飾アイテム（１０）を開口部のほうに付勢するものである請求項３ないし８のいずれか１項に記載の器具。
【請求項１０】
複数の取り付けメンバ（３０；１３０；２３０）は少なくとも３つの柔軟なフィンガー部を有する請求項３ないし９のいずれか１項に記載の器具。
【請求項１１】
柔軟なフィンガー部は開口部（２８）を画定する第１メンバ（２２；１２２；２２２）の前記部分（２６；１２６）から延長している請求項２または１０に記載の器具。
【請求項１２】
第１メンバ（２２；１２２；２２２）は外部キャップ部を有し、複数の柔軟なフィンガー部には内部キャップ部が設けられており、該内部キャップ部は該外部キャップ部内に挿入できる構造である請求項１０または１１に記載の器具。
【請求項１３】
クレードル（４２）は第２メンバにより画定される請求項１ないし１２のいずれか１項に記載の器具。
【請求項１４】
第２メンバ（２４；２２４）は第１メンバ（３０；２３０）の下方に設置される請求項１３に記載の器具。
【請求項１５】
第２メンバ（２４；２２４）には複数の取り付けメンバ（３０；２３０）が設けられている請求項３ないし１４のいずれか１項に記載の器具。
【請求項１６】
第２メンバ（２４；２２４）は第２開口部（３４）を画定する部分（３２）を有し、第１メンバ（２２；２２２）により画定される前記開口部（２８）は第２開口部と実質的に重なり合う請求項１３ないし１５のいずれか１項に記載の器具。
【請求項１７】
第１メンバ（２２；２２２）は外表面（３６）と内表面（３８）を有し、該第１メンバの開口部（２８）の少なくとも一部は、内表面（３８）から外表面（３６）に向かって内径が縮小しており、第２メンバ（２４；２２４）に対向して座面（４０）を形成している請求項１３ないし１６のいずれか１項に記載の器具。
【請求項１８】
前記柔軟なフィンガー部はそれぞれ、第２メンバ（２４；２２４）から第１メンバ方向に延長している第１部分（４６）と、第１部分から延長して自由端（５０）に至る第２部分（４８）を有している請求項１０および１３ないし１７のいずれか１項に記載の器具。
【請求項１９】
第２メンバ（２４；２２４）は第２開口部（３４）を画定する部分（３２）を有し、前記各フィンガー部の第２部分（４８）は第２開口部（３４）方向に延長している請求項１８に記載の器具。
【請求項２０】
第１メンバ（２２；２２２）は外部キャップ部を有し、第２メンバ（２４；２２４）は内部キャップ部を有し、該内部キャップ部は該外部キャップ部内に挿入できる構造である請求項１３ないし１９のいずれか１項に記載の器具。
【請求項２１】
前記外部キャップ部と内部キャップ部は締まりばめによって結合する請求項１２または２０に記載の器具。
【請求項２２】
第１メンバ（２２；２２２）は外部スリーブを有し、第２メンバ（２４；２２４）は内部スリーブを有し、該外部スリーブは少なくとも部分的に内部スリーブを覆う構造である請求項１３ないし２１のいずれか１項に記載の器具。
【請求項２３】
装飾アイテム（１０）は、第１メンバ（２２；１２２；２２２）の、第２メンバ（２４；２２４）とは反対側から少なくとも部分的に見ることができる請求項１３ないし２２のいずれか１項に記載の器具。
【請求項２４】
少なくとも部分的に開口部（２８）から突出している装飾アイテム（１０）の少なくとも一部（５２）が器具の外部（５４）から見ることができる請求項１ないし２３のいずれか１項に記載の器具。
【請求項２５】
第１メンバ（２２；１２２；２２２）は外部スリーブを有し、該外部スリーブは少なくとも部分的に容器（１４；７８）を覆う構造である請求項１ないし２４のいずれか１項に記載の器具。
【請求項２６】
装飾アイテム（１０）は、宝石、宝石の複製品、天然石、合成石、キュービックジルコニウム、ブリリアントカット形状のうち少なくとも１つである請求項１ないし２５のいずれか１項に記載の器具。
【請求項２７】
当該器具は容器（１４；７８）の封止メンバを有する請求項１ないし２６のいずれか１項に記載の器具。
【請求項２８】
前記封止メンバはキャップ状である請求項２７に記載の器具。
【請求項２９】
封止メンバはストッパ（７４）状である請求項２７に記載の器具。
【請求項３０】
ストッパ（７４）は容器に着脱可能に収容される請求項２９に記載の器具。
【請求項３１】
容器（１４）を少なくとも部分的に覆うカバー（７２）を有する請求項１ないし３０の
いずれか１項に記載の器具。
【請求項３２】
装飾アイテム（１０）の最大幅（５６）は、第１メンバの開口部（２８）の最小幅（５８）より大きい請求項１ないし３１のいずれか１項に記載の器具。
【請求項３３】
装飾アイテム（１０）の最大幅（５６）は、第１メンバ（２２；１２２；２２２）の内表面（３８）側の開口部（２８）の幅（６０）より小さい請求項３２に記載の器具。
【請求項３４】
さらに容器内に製品を含む請求項１ないし３３のいずれか１項に記載の器具。
【請求項３５】
前記製品は化粧品、ケア製品または香りのいずれかである請求項１ないし３４のいずれか１項に記載の器具。
【請求項３６】
容器（１４）がポンプ（６２）を有し、前記部分がポンプ（６２）の吐出部（６４）を覆う請求項１ないし３５のいずれか１項に記載の器具。
【請求項３７】
その内部を貫通する少なくとも１つの開口部（２８）を画定する部分（２６）有する第１メンバ（２２；１２２）と、
第１メンバの下方に設置される第２メンバ（２４；２２４）と
第２メンバに取り付けられた複数の取り付けメンバ（３０；２３０）と
を有する器具であって、
複数の取り付けメンバと第１メンバの開口部を画定する部分は、少なくとも装飾アイテム（１０）の一部（５２）が器具の外部（５４）から見えるように、該複数の取り付けメンバと該第１メンバの開口部を画定する部分間に装飾アイテム（１０）を挟持する装飾アイテム取り付け器具。
【請求項３８】
少なくとも１つの座面（４０）および少なくとも１つの開口部（２８）を設けた外部メンバと、
少なくとも１つのクレードル（４２）を設けた内部メンバを有し、
該クレードルと該座面は領域（４４；１４４）を定義し、該座面と該クレードルによって定義された該領域に取り付けられた装飾アイテム（１０）を有する容器の封止メンバ。
【請求項３９】
製品を収容するための容器（１４；７８）と、
容器に対して設けられた部分と
を有する製品を供給するためのアセンブリであって、該部分は、
少なくとも一つの座面（４０）と少なくとも一つの開口部（２８）を形成する第１メンバ（２２；２２２）と、
少なくとも一つのクレードル（４２）を形成する第２メンバ（２４；２２４）と、
該クレードルと該座面によって定義された領域（４４）に設けられた装飾アイテム（１０）とを有するアセンブリ。
【請求項４０】
容器（１４；７８）と、
該容器に収容された化粧品と、
外部メンバと内部メンバを有する、容器に設けられるように構成されているキャップと、
外部メンバと内部メンバ間に挟持され少なくとも一部（５２）がアセンブリの外部（５４）から見ることができるようになっている装飾アイテム（１０）とを有する製品供給アセンブリ。
【請求項４１】
その内部を貫通する少なくとも１つの開口部（２８）を画定する部分を有する第１メンバ（２２；１２２；２２２）と、
第１メンバの下方に、互いに離間して設置された複数の取り付けメンバ（３０；１３０；２３０）とを有する器具であって、
複数の取り付けメンバと第１メンバの開口部を画定する部分は、少なくとも装飾アイテムの一部（５２）が器具の外部（５４）から見えるように、該複数の取り付けメンバと該第１メンバの開口部を画定する部分との間に装飾アイテム（１０）を挟持する装飾アイテム取り付け器具。